(57)【要約】【課題】遮断手段がより確実・安全に流体を遮断できる流体遮断装置を提供する。【解決手段】遮断記憶部２９が遮断中であり、流量判定部２８が所定量以上の流量があると判定した場合、遮断駆動部２６に内蔵された周波数切替手段が駆動周波数を低く設定してステッピングモータなど遮断弁２３の駆動手段の駆動力を高めて再度遮断駆動するため、遮断弁２３がガス流路２２を遮断できる確率が高くなり、より確実・安全にガスを遮断することができる。【選択図】図１
2010223527.tif 000002
【特許請求の範囲】
【請求項１】
流路を遮断する遮断手段と、前記遮断手段による遮断状態を検出する遮断状態検出手段と、遮断状態が不完全であることを検出した場合に前記遮断手段への駆動力を高めて遮断駆動させる遮断力増大手段を備えた流体遮断装置。
【請求項２】
流体を遮断する遮断手段と、流量を検出する流量検出手段と、前記遮断手段を遮断駆動したことを記録する記憶手段と、前記遮断手段への供給電圧を通常電圧より増大させる昇圧手段とを有し、前記記憶手段が遮断中であり、前記流量検出手段の検出流量より遮断状態を検出し、遮断状態が不完全であることを検出した場合、前記昇圧手段にて電圧を所定の高さまで増大して遮断力を高めて再度前記遮断手段を遮断駆動する駆動手段を有する流体遮断装置。
【請求項３】
流体を遮断する遮断手段と、前記遮断手段の開閉状態を検出する開閉検出手段と、前記遮断手段を遮断駆動したことを記録する記憶手段と、前記遮断手段への供給電圧を通常電圧より増大させる昇圧手段とを有し、前記記憶手段が遮断中であり、前記開閉検出手段の出力より遮断状態を検出し、遮断状態が不完全であることを検出した場合、前記昇圧手段にて電圧を所定の高さまで増大して遮断力を高めて再度前記遮断手段を遮断駆動する駆動手段を有する流体遮断装置。
【請求項４】
遮断手段がモータを駆動源とする遮断弁であり、昇圧手段は充電・昇圧可能な装置を有し、記憶手段が遮断中であり、遮断状態が不完全であることを検出した場合、前記昇圧可能な装置にて電圧を増幅し充電をしてそのエネルギーにて再度前記遮断手段を駆動することを特徴とする請求項１〜３のいずれか１項に記載の流体遮断装置。
【請求項５】
遮断手段がモータを駆動源とする遮断弁であり、昇圧手段は予備電源を有し、記憶手段が遮断中であり、遮断状態が不完全であることを検出した場合、前記予備電源にて電圧を増幅しそのエネルギーにて再度前記遮断手段を駆動することを特徴とする請求項１〜３のいずれか１項に記載の流体遮断装置。
【発明の詳細な説明】
【技術分野】
【０００１】
本発明は、流路の開閉を行う流体制御装置、特に、ガスの事故を未然に防ぐためガスメータなどに内蔵されるガス遮断装置の遮断機構として使用される遮断弁装置に関するものである。
【背景技術】
【０００２】
ガス事故を未然に防ぐため、従来より種々の安全装置が利用されており、中でもガスメータに内蔵され流量センサによりガスの流量を検出しマイクロコンピュータによりガスの使用状態を異常使用と判断した場合や、地震センサ、ガス圧力センサ、ガス警報器、一酸化炭素センサなどのセンサの状況を監視し危険状態と判断した場合に、内蔵された遮断弁によりガスを遮断するガス遮断装置がある。このようなマイクロコンピュータ搭載ガス遮断装置内蔵ガスメータは、マイコンメータと呼ばれ、電池を電源としており、安全性、ガス配管の容易性、経済的価格等の優位性のため普及が促進され、ほぼ全世帯普及が実施されるに至っており、ガス事故の飛躍的低減に貢献している。
【０００３】
このマイコンメータは、停電などの影響を受けないよう電池電源で駆動され、また全戸普及のため経済的な容量の電池が搭載されているため、遮断弁は開弁、閉弁状態の保持に電力を必要としない自己保持型電磁ソレノイドやＰＭ型ステッピングモータで駆動されていて、マイコンメータシステムの異常時に必ず安全側、すなわちガス遮断側に状態移動するフェールセーフ構造ではない。
【０００４】
このため、フェールセーフ構成でないことを補い、マイコンメータの安全性を高めるため様々なシステムバックアップ手段が考案、搭載されている。
【０００５】
以下に従来の流体遮断装置（マイコンメータ）について説明する（例えば、特許文献１参照）。
【０００６】
この特許文献１記載の流体遮断装置（燃料制御遮断装置）は、図９に示したように、ガスメータ１に内蔵されガス流路２を遮断可能な自己保持型の遮断弁３と、ガスの流量を検知する流量センサ等による流量検出部４と、この流量検出部４の流量信号５が所定の流量以上の場合、遮断弁３を駆動する遮断駆動部６に遮断信号７を出力する流量判定部８と、遮断信号７が出力されたことを記憶する遮断記憶部９と、この遮断記憶部９の状態が遮断中であり、かつ流量検出部４が流量信号５を出力した流量ありの状態の場合、遮断駆動部６に遮断信号１０を出力するアンドゲート等による遮断中流量あり判定部１１と、これらの制御部４〜１１および遮断弁３に電力を供給する電池等による電源部１３より構成されている。流量判定部８、遮断記憶部９、遮断中流量あり判定部１１はマイクロコンピュータ１４に記録されたソフトウェア手段などで実現されている。
【０００７】
以上のように構成された流体遮断装置の動作について説明する。
【０００８】
ガス使用において危険性のない通常状態においては、遮断弁３は復帰（開弁）状態であり、ガスメータ１の下流のガス機具（図示せず）などにガスを供給可能である。このときガスの流量を検出した場合、流量検出部４は流量信号５を出力している。
【０００９】
流量信号５が異常に大きな流量であったり、流量信号５の継続が図示していないタイマー手段によって異常に長時間である場合など、ガス消費パターンが異常であると流量判定部８が判定した場合、遮断駆動部６に遮断信号７が出力され遮断弁３でガス流路２を遮断
駆動すると同時に、遮断記憶部９に遮断駆動したことを記憶する。
【００１０】
この後、流量検出部４が流量を検出した場合、流量信号５が遮断中流量あり判定部１１に出力され、遮断記憶部９の記憶が遮断中である場合、遮断中流量あり判定部１１は遮断駆動部６に遮断信号１０を出力し、遮断駆動部６は遮断弁３を再度遮断駆動する。
【００１１】
このように図９に示す流体遮断装置は、遮断中に流量がある場合に再度遮断動作を行うことによって、遮断弁３がフェールセーフ構造でないことを補いマイコンメータの安全性を高めている。
【特許文献１】特開昭５９−６９６１８号公報
【発明の開示】
【発明が解決しようとする課題】
【００１２】
この種の流体遮断装置において、遮断中に流量があるということは、遮断弁の損失が増えるなど機構部が特性劣化しているか、電池電源部の電圧が低下するなど駆動部が特性劣化しているなどの原因により、遮断弁の動作が完了していないか動くことができないためであることが多い。
【００１３】
しかしながら、図９に示した従来の流体遮断装置は、遮断中に流量がある場合通常と同じ遮断動作を繰り返すだけであるため、機構部や駆動部が特性劣化している場合遮断弁３がガス流路２を遮断できる確率は高くならない。すなわち、遮断中に流量がある場合でもガス流路を遮断できない可能性が高いという課題を有していた。
【００１４】
本発明はかかる従来の課題に鑑み、遮断弁の損失が増えるなど機構部が特性劣化しているか、電池電源部の電圧が低下するなど駆動部が特性劣化しているなどの場合でも、遮断弁がガス流路を遮断できる確率を高くし、マイコンメータの安全性をより高くできる流体遮断装置を提供することを目的とする。
【課題を解決するための手段】
【００１５】
前記従来の課題を解決するために、本発明の流体遮断装置は、流路を遮断する遮断手段と、前記遮断手段による遮断状態を検出する遮断状態検出手段と、遮断状態が不完全であることを検出した場合に前記遮断手段への駆動力を高めて遮断駆動させる遮断力増大手段を備えたものである。
【００１６】
また、前記流路遮断動作が不完全であることを検出する手段として、流量検出手段によるもの、または、遮断手段の開閉状態を検出する開閉検出手段によるものを提供するものである。
【００１７】
また、前記遮断手段への供給電圧を通常電圧より増大させる昇圧手段として、昇圧・充電回路を使用する手段、予備電源にて電圧増幅する手段を提供するものである。
【００１８】
上記のように、流路遮断動作後に遮断手段の流路遮断動作が不完全であることを検出した場合、遮断手段への供給電圧を通常電圧より増大させて再度遮断手段を遮断駆動するため、遮断手段がガスなどの流体通路を遮断できる確率が高くなり、より確実または安全に流体を遮断することができる。
【発明の効果】
【００１９】
本発明の流体遮断装置は、流路を遮断する遮断手段と、流路遮断動作後に前記遮断手段の流路遮断動作が不完全であることを検出した場合、遮断手段への供給電圧を通常電圧より増大させて再度遮断手段を遮断駆動するため、遮断手段がガスなどの流体通路を遮断で
きる確率が高くなり、より確実または安全に流体を遮断する流体遮断装置を提供できる。
【発明を実施するための最良の形態】
【００２０】
第１の発明は、流路を遮断する遮断手段と、前記遮断手段による遮断状態を検出する遮断状態検出手段と、遮断状態が不完全であることを検出した場合に前記遮断手段への駆動力を高めて遮断駆動させる遮断力増大手段を備えたものである。
【００２１】
そして、流路遮断動作後に遮断手段の流路遮断動作が不完全であることを検出した場合、遮断手段への供給電圧を高めて遮断力を高めるよう再度遮断手段を遮断駆動するため、遮断手段がガスなどの流体通路を遮断できる確率が高くなり、より確実または安全に流体を遮断することができる。
【００２２】
第２の発明は、流体を遮断する遮断手段と、流量を検出する流量検出手段と、前記遮断手段を遮断駆動したことを記録する記憶手段と、前記遮断手段への供給電圧を通常電圧より増大させる昇圧手段とを有し、前記記憶手段が遮断中であり、前記流量検出手段の検出流量より遮断状態を検出し、遮断状態が不完全であることを検出した場合、前記昇圧手段にて電圧を所定の高さまで増大して遮断力を高めて再度前記遮断手段を遮断駆動する駆動手段を有するものである。
【００２３】
そして、記憶手段が遮断中であり、流量検出手段が所定量以上の流量を検出した場合、遮断手段への供給電圧を高めて遮断力を高めるよう再度遮断手段を遮断駆動するため、遮断手段がガスなどの流体通路を遮断できる確率が高くなり、より確実または安全に流体を遮断することができる。
【００２４】
第３の発明は、流体を遮断する遮断手段と、前記遮断手段の開閉状態を検出する開閉検出手段と、前記遮断手段を遮断駆動したことを記録する記憶手段と、前記遮断手段への供給電圧を通常電圧より増大させる昇圧手段とを有し、前記記憶手段が遮断中であり、前記開閉検出手段の出力より遮断状態を検出し、遮断状態が不完全であることを検出した場合、前記昇圧手段にて電圧を所定の高さまで増大して遮断力を高めて再度前記遮断手段を遮断駆動する駆動手段を有するものである。
【００２５】
そして、記憶手段が遮断中であり、開閉検出手段の出力が閉止でない場合、遮断手段への供給電圧を高めて遮断力を高めるよう再度遮断手段を遮断駆動するため、遮断手段がガスなどの流体通路を遮断できる確率が高くなり、より確実または安全に流体を遮断することができる。
【００２６】
第４の発明は、第１〜３のいずれか１つの発明の流体遮断装置において、遮断手段がモータを駆動源とする遮断弁であり、昇圧手段は充電・昇圧可能な装置を有し、記憶手段が遮断中であり、遮断状態が不完全であることを検出した場合、前記昇圧可能な装置にて電圧を増幅し充電をしてそのエネルギーにて再度前記遮断手段を駆動することを特徴とするものである。
【００２７】
そして、記憶手段が遮断中であり、流量検出手段が所定量以上の流量を検出した場合、または開閉検出手段の出力が閉止でない場合、昇圧手段にて電圧を所定の高さまで増大して、遮断手段がガスなどの流体通路を遮断できる確率が高くなり、より確実または安全に流体を遮断することができる。
【００２８】
第５の発明は、第１〜３のいずれか１つの発明の流体遮断装置において、遮断手段がモータを駆動源とする遮断弁であり、昇圧手段は予備電源を有し、記憶手段が遮断中であり、遮断状態が不完全であることを検出した場合、前記予備電源にて電圧を増幅しそのエネ
ルギーにて再度前記遮断手段を駆動することを特徴とするものである。
【００２９】
そして、記憶手段が遮断中であり、流量検出手段が所定量以上の流量を検出した場合、または開閉検出手段の出力が閉止でない場合、昇圧手段にて電圧を所定の高さまで増大して、遮断手段がガスなどの流体通路を遮断できる確率が高くなり、より確実または安全に流体を遮断することができる。
【００３０】
以下、本発明の実施の形態について図面を用いて説明する。なお、この実施の形態によって本発明が限定されるものではない。
【００３１】
（実施の形態１）
図１は本発明の実施の形態１の流体遮断装置のブロック図である。
【００３２】
図１において、ガスメータ２１に内蔵されガス流路２２を遮断可能なＰＭ型ステッピングモータや自己保持型電磁ソレノイド等によって駆動される自己保持型の遮断弁２３と、ガスの流量を検知する磁気センサ、圧力センサ、超音波センサ、熱線流量センサ、流体素子センサ、質量流量センサ、フロートセンサ等による流量検出部２４と、この流量検出部２４の流量信号２５が異常流量などの場合遮断弁２３を駆動する遮断駆動部２６に遮断信号２７を出力する流量判定部２８と、遮断信号２７が出力されたことを記憶する遮断記憶部２９と、この遮断記憶部２９の状態が遮断中でありかつ流量検出部２４の流量信号２５が所定の流量Ｑ０以上で流量ありと判定される場合、遮断駆動部２６に遮断信号３０を出力するアンドゲート等による遮断中流量あり判定部３１と、これらの各部および遮断弁２３に電力を供給する電池等による電源部３３より構成され、遮断駆動部２６は遮断信号２７を受けて遮断弁２３を通常の供給電圧で駆動し、遮断信号３０を受けた場合、すなわち遮断記憶部２９の状態が遮断中でありかつ所定量以上の流量を検出した遮断中流量ありの状態の場合は供給電圧を増幅して遮断駆動する。
【００３３】
流量判定部２８、遮断記憶部２９、遮断中流量あり判定部３１、遮断駆動部２６はマイクロコンピュータ３４に記録されたソフトウェア手段や論理ＩＣなどで実現されている。
【００３４】
図２は本発明の実施の形態１の流体遮断装置の遮断駆動部および遮断弁のブロック図である。
【００３５】
図２において、遮断弁２３はＡ相、Ｂ相の２相バイポーラ励磁方式のステッピングモータ４１で駆動されていて、遮断駆動部２６は駆動電圧を通常電圧４３と昇圧電圧４４とに切り替え昇圧電圧４４を生成する昇圧部４５を備えた駆動電圧切替手段４６と、駆動周波数を発生し２相バイポーラ駆動波形を出力する励磁回路４７とで構成されている。
【００３６】
異常流量などによる通常駆動時においては駆動電圧切替手段４６は例えば２Ｖの通常電圧４３を励磁回路４７に出力し、遮断中流量ありの状態の場合においては駆動電圧切替手段４６は昇圧部４５にて通常電圧を例えば４Ｖに増大し昇圧電圧４４を出力するために切り替えて励磁回路４７に出力する。
【００３７】
なお、昇圧部４５に充電部を設けることによりさらに高い昇圧電圧４４を励磁回路４７に出力することができる。
【００３８】
図３は本発明の実施の形態１の流体遮断装置の遮断弁の断面図である。
【００３９】
図３において、Ａ相、Ｂ相に接続された電磁コイル５１、５２と、磁力を伝達するヨーク５３、５４、５５、５６とでステータ５７が構成され、永久磁石５８と、流路５９に突
出したリード部６０を有するリードシャフト６１とで構成されたロータ６２がステータ５７と同軸に配され、流路５９に形成された弁座６３と当接することによってガス等の流体を遮断可能でリードナット部６４を有する弁体６５がリード部６０に螺合して配され、弁体６５自身の回転は爪状の回動規制手段６６によって規制されているためロータ６２の回転によって弁体６５は軸方向に前後動する。
【００４０】
ステータ５７とロータ６２は２相励磁型のＰＭ（永久磁石）型のステッピングモータを形成しており、電磁コイル５１、５２すなわちＡ相、Ｂ相に１／２・πの位相差を有する矩形波等の回転磁界を発生する電流を印加することによってロータ６２が回転し、電流を印加しない場合は永久磁石５８による静止トルクによってロータ６２は回転を阻止されている。
【００４１】
図３においては、弁体６５側から見てＣＷ（時計回り）方向にロータ６２が回転した場合は弁体６５が弁座６３に近づく遮断動作を行い、ＣＣＷ（反時計回り）に回転した場合は弁体６５が弁座６３から遠ざかる復帰動作を行う。
【００４２】
図４は図３の遮断弁の駆動部であるＰＭ型ステッピングモータの駆動電圧と脱調トルクの関係を表すグラフの一例である。
【００４３】
図４のように、駆動電圧が高い方が高いトルクを発生させ、例えば駆動電圧２Ｖでは２．１ｍＮ・ｍであるのに対し、高電圧４Ｖでは５．２ｍＮ・ｍと強いトルクを発生させ、すなわち高電圧駆動時には遮断弁の駆動力が強くなることがわかる。
【００４４】
以上のように構成された流体遮断装置の動作について説明する。
【００４５】
流量検出部２４の流量信号２５を流量判定部２８が判定し、ガスの使用状態に異常がない場合、遮断信号２７は出力されず、遮断弁２３はガス流路２２を開放した復帰状態を保つ。
【００４６】
流量検出部２４の流量信号２５を流量判定部２８が判定し、合計流量が異常に多い場合や、個別流量区分の使用時間が異常に長い場合などガスの使用状態に異常がある場合や、地震センサ、圧力センサ、ガス漏れセンサ等のその他センサ３６や、遮断スイッチや通信回線等による外部遮断命令３７を受けた場合、遮断信号２７が遮断駆動部２６に出力され、遮断駆動部２６は遮断弁２３を通常駆動によって遮断すると同時に、遮断記憶部２９に遮断信号を出力したこと、すなわち遮断中であることを記憶させる。
【００４７】
図２、図３および図４によると、この通常駆動時の駆動電圧は例えば２Ｖであり、遮断弁２３のステッピングモータ４１は２．１ｍＮ・ｍのトルクで遮断動作を行う。
【００４８】
遮断動作後、遮断弁２３は永久磁石５８による静止トルクによって無通電でも遮断状態を保持する。
【００４９】
遮断弁２３の損失が増えるなど機構部が特性劣化したり、電池による電源部３３の電圧が低下するなど駆動部が特性劣化している場合、遮断弁２３の遮断動作が完了していないことがある。
【００５０】
この遮断動作未完了状態においては遮断記憶部２９は遮断中であることを記憶し、流量検出部２４が流量を検出し流量判定部２８が流量信号２５を所定の流量Ｑ０以上で流量ありと判定した場合流量ありの信号が発生し、遮断中でありかつ流量があるため遮断中流量あり判定部３１は遮断駆動部２６に遮断信号３０を出力し、遮断駆動部２６は昇圧駆動で
遮断弁２３を再遮断する。
【００５１】
すなわち、図２において駆動電圧切替手段４６は励磁回路４７へ再遮断の駆動電圧を出力するため昇圧部４５へ昇圧信号を送る。昇圧部４５は例えば２Ｖの電源電圧を４Ｖまで昇圧し充電維持して励磁回路４７へ出力し、図４に示したように遮断弁２３の駆動部であるステッピングモータ４１は５．２ｍＮ・ｍの強いトルクを発し遮断弁２３は強い駆動力で再遮断を行う。
【００５２】
このため、機構部や駆動部が特性劣化している場合でも、遮断弁２３はガスなどの流体通路を遮断できる確率が高くなり、より確実または安全に流体を遮断することができる。
【００５３】
なお、ここで遮断記憶部の遮断中記録を複数とし、遮断中流量ありで再遮断した後再度流量がある場合、駆動周波数をより低くして駆動トルクを大きくして遮断弁を再再遮断してもよく、この場合はより確実または安全に流体を遮断することができる。
【００５４】
次に図示していない外部手段などから復帰信号があたえられた場合、図示していない復帰駆動部が遮断弁２３の駆動部であるステッピングモータ４１を例えばＣＣＷ方向に逆転駆動することによってガス流路２２を開弁復帰すると同時に、遮断記憶部２９の遮断中記録をリセットし、ガスを流すことができる通常状態に復帰する。
【００５５】
このように、本発明の実施の形態１の流体遮断装置は、遮断記憶部２９が遮断中であり、流量判定部２８が所定量以上の流量があると判定した場合、昇圧部４５が昇圧電圧４４を出力しステッピングモータ４１など遮断弁２３の駆動手段の駆動力を高めて駆動するため、遮断弁２３がガス流路２２を遮断できる確率が高くなり、より確実または安全にガスを遮断することができる。
【００５６】
（実施の形態２）
図５は本発明の実施の形態２の流体遮断装置の遮断駆動部および遮断弁のブロック図である。
【００５７】
図５において、遮断弁２３と流量検出部２４と流量判定部２８と遮断中流量あり判定部３１と電源部３３は図１と同様であり、遮断駆動部７２は遮断信号２７を受けて遮断弁２３を通常の供給電圧で駆動し、遮断信号３０を受けた場合、すなわち遮断記憶部２９の状態が遮断中でありかつ所定量以上の流量を検出した遮断中流量ありの状態の場合は予備電源７３に駆動電圧を切り替えて遮断駆動する。
【００５８】
図６は本発明の実施の形態２の流体遮断装置の遮断駆動部および遮断弁のブロック図である。
【００５９】
図６において、遮断弁２３は図２、図３と同様であり、遮断駆動部７４は駆動電圧を通常電圧７５と予備電源電圧７６とに切り替える駆動電源切替手段７７と、駆動周波数を発生し２相バイポーラ駆動波形を出力する励磁回路７８とで構成されている。
【００６０】
異常流量などによる通常駆動時においては駆動電源切替手段７７は例えば２Ｖの通常電圧７５を励磁回路７８に出力し、遮断中流量ありの状態の場合においては駆動電源切替手段７７は通常電圧より高い電圧の電池電源等の予備電源７９に切り替えて例えば４Ｖの予備電源電圧７６を励磁回路７８に出力する。
【００６１】
その他の部分は、図１の流体遮断装置と同様であり説明を省略する。
【００６２】
このように、本発明の実施の形態２の流体遮断装置は、遮断記憶部２９が遮断中であり、流量判定部２８が所定量以上の流量があると判定した場合、駆動電源切替手段７７が駆動電圧の高い電源に設定してステッピングモータ４１など遮断弁２３の駆動手段の駆動力を高めて駆動するため、遮断弁２３がガス流路２２を遮断できる確率が高くなり、より確実または安全にガスを遮断することができる。
【００６３】
（実施の形態３）
図７は本発明の実施の形態３の流体遮断装置のブロック図である。
【００６４】
図７において、ガスメータ８０に内蔵されガス流路２２を遮断可能なＰＭ型ステッピングモータや自己保持型電磁ソレノイド等によって駆動される自己保持型の遮断弁２３と、遮断弁２３の開閉状態を検出するリミットスイッチ、磁気スイッチ、インダクタンス検出手段、サーチコイル、フォトセンサ、感圧素子などからなる開閉検出部８１と、ガスの流量を検知する磁気センサ、圧力センサ、超音波センサ、熱線流量センサ、流体素子センサ、質量流量センサ、フロートセンサ等による流量検出部２４と、この流量検出部２４の流量信号２５が異常流量などの場合遮断弁２３を駆動する遮断駆動部２６に遮断信号２７を出力する流量判定部８２と、遮断信号２７が出力されたことを記憶する遮断記憶部２９と、この遮断記憶部２９の状態が遮断中でありかつ開閉検出部８１の信号が未閉止の場合遮断駆動部２６に遮断信号８３を出力するアンドゲート等による遮断中閉止不完全判定部８４と、これらの各部および遮断弁２３に電力を供給する電池等による電源部３３より構成され、遮断駆動部２６は遮断信号２７を受けて遮断弁２３を通常の駆動力で駆動し、遮断信号８３を受けた場合、すなわち遮断記憶部２９の状態が遮断中でありかつ開閉検出部８１の信号が未閉止の遮断中閉止不完全の場合は駆動力電圧を高出力側に切り替えて遮断駆動する。
【００６５】
流量判定部８２、遮断記憶部２９、遮断中閉止不完全判定部８４、遮断駆動部２６はマイクロコンピュータ８５に記録されたソフトウェア手段や論理ＩＣなどで実現されている。
【００６６】
遮断駆動部２６は実施の形態１〜２と同様の手段が可能であるので説明を省略する。
【００６７】
図８は本発明の実施の形態５の流体遮断装置の遮断弁および開閉検出部の断面図である。
【００６８】
図８において、遮断弁２３は図１、図２、図３と同様であり、開閉検出部８１は、遮断弁２３と同軸に配され一端は遮断弁２３が閉弁時に当接し他端に永久磁石８７が固定されたロッド８８と、ロッド８８を摺動可能に保持するハウジング８６と、ロッド８８を遮断弁２３方向に付勢する遮断弁２３の閉弁力より弱いスプリング８９と、ガスメータ内のガス隔壁９０を距てて配され永久磁石８７が接近した時ＯＮとなり離反した時ＯＦＦとなる磁気リードスイッチ９１とで構成されている。
【００６９】
上記開閉検出部８１の動作は、遮断弁２３の弁体６５の位置が開弁状態の場合は、ロッド８８は弁体６５に当接せずスプリング８９に付勢されて図中右側にあるため、永久磁石８７は磁気リードスイッチ９１から離反し磁気リードスイッチはＯＦＦの状態であり、遮断弁２３の弁体６５の位置が閉弁状態の場合は、ロッド８８は弁体６５に当接し遮断弁２３の閉弁力に押されて図中左側に移動し、永久磁石８７は磁気リードスイッチ９１に接近し磁気リードスイッチがＯＮの状態となることによって、遮断弁２３の開閉状態を電気信号として検出することが可能である。
【００７０】
そして、異常流量などによる通常駆動時においては遮断駆動部２６は通常の駆動力また
は遮断ストローク遮断弁２３を駆動し、遮断記憶部２９の状態が遮断中であり、かつ開閉検出部８１の信号が未閉止の場合、すなわち磁気リードスイッチがＯＦＦの遮断中閉止不完全の場合は、駆動力を高出力側に切り替えて遮断駆動する。
【００７１】
このように、本発明の実施の形態５の流体遮断装置は、遮断記憶部２９が遮断中であり、開閉検出部８１の信号が未閉止の遮断中閉止不完全の場合は、遮断駆動部２６を高出力側に切り替えて遮断駆動するため、遮断弁２３がガス流路２２を遮断できる確率が高くなり、より確実または安全にガスを遮断することができる。
【００７２】
なお、上記実施の形態において遮断弁２３は２相バイポーラ励磁ＰＭ型ステッピングモータ４１が駆動手段である例を説明したが、３相以上でもモノポーラ励磁でもよく、その他同機モータでもよく、実施の形態２に示した遮断駆動部が駆動電源を切り替える例においてはＤＣブラシレスモータ等の直流モータも選択可能である。
【００７３】
また、遮断弁２３はロータ６２の回転が直接弁体６５の前後動に変換されるよう説明したが、減速機構を介してもよく、磁気カップリングなど気密隔壁を介した動力伝達でもよい。
【００７４】
また、この流体遮断装置はガスメータ２１に内蔵され、電源部３３によって駆動されるよう説明したが、孤立型流体遮断装置でもよく燃焼機器等に内蔵されてもよく、商用電源、自己発電電源などで駆動されてもよく、コンデンサ等のバックアップ電源で駆動されてもよい。
【産業上の利用可能性】
【００７５】
以上のように、本発明にかかる流体遮断装置は、遮断手段の流路遮断動作が不完全であることを検出した場合、遮断手段の駆動力を高めて再度遮断手段を遮断駆動するため、遮断手段がガスなどの流体通路を遮断できる確率を高くすることが出来るので、モータ駆動などで確実な動作が必要な装置に応用できる。
【図面の簡単な説明】
【００７６】
【図１】本発明の実施の形態１の流体遮断装置のブロック図
【図２】本発明の実施の形態１の流体遮断装置の遮断駆動部および遮断弁のブロック図
【図３】本発明の実施の形態１の流体遮断装置の遮断弁の断面図
【図４】図３の遮断弁の駆動部であるＰＭ型ステッピングモータの駆動電圧と脱調トルクの関係を表すグラフ
【図５】本発明の実施の形態２の流体遮断装置のブロック図
【図６】本発明の実施の形態２の流体遮断装置の遮断駆動部および遮断弁のブロック図
【図７】本発明の実施の形態３の流体遮断装置のブロック図
【図８】本発明の実施の形態３の流体遮断装置の遮断弁および開閉検出部の断面図
【図９】従来の流体遮断装置のブロック図
【符号の説明】
【００７７】
２２  ガス流路（流路）
２３  遮断弁（遮断手段）
２４  流量検出部（流量検出手段、遮断状態検出手段）
２６、７２  遮断駆動部（駆動手段）
２９  遮断記憶部（記憶手段）
３１  遮断中流量あり判定部
４１  ステッピングモータ（モータ）
４４  駆動電圧切替手段（遮断力増大手段）
４５  昇圧部（昇圧手段）
７３  予備電源
７６  電流切替手段
７７  駆動電源切替手段  （遮断力増大手段）
８１  開閉検出部（開閉検出手段、遮断状態検出手段）
８４  遮断中閉止不完全判定部（制御手段）
【図１】
2010223527.tif 000003
【図２】
2010223527.tif 000004
【図３】
2010223527.tif 000005
【図４】
2010223527.tif 000006
【図５】
2010223527.tif 000007
【図６】
2010223527.tif 000008
【図７】
2010223527.tif 000009
【図８】
2010223527.tif 000010
【図９】
2010223527.tif 000011